(57)【要約】【課題】いたずらなどによる警報音の切り替えを防止しつつ、ガス警報器を取り付けた状態で簡単な操作で警報音の切替を行うことができるガス警報器を提供する。【解決手段】ＣＰＵ１３ａが、検出対象ガスの濃度が一定レベルを超えたとき、スピーカ１５からその旨を伝える警報音を発生させる。タクトスイッチ１２が、収容ボックス１４内に収容された状態で、その収容ボックス１４外から、特殊器具を用いた操作が行われたことに応じてオンする。ＣＰＵ１３ａが、このタクトスイッチ１２のオンに応じて、スピーカ１５から発生させる警報音を、音声とブザー音との間で切り替える。【選択図】      図１
2004252662.tif 000002
【特許請求の範囲】
【請求項１】
検出対象ガスの濃度が一定レベルを超えたとき、その旨を伝える警報音を発生する警報音発生手段と、
収容ボックス内に収容された状態で、当該収容ボックス外から、特殊器具を用いた操作が行われたことに応じてオン又はオフする特殊切替スイッチと、
前記特殊切替スイッチのオン又はオフに応じて、前記警報音発生手段が発生する警報音を、音声と該音声以外の音との間で切り替える切替手段と
を備えたことを特徴とするガス警報器。
【請求項２】
請求項１記載のガス警報器であって、
前記特殊切替スイッチは、前記収容ボックスに設けられたスイッチ用開口部に対応した位置に配されたタクトスイッチである
ことを特徴とするガス警報器。
【請求項３】
請求項１又は２記載のガス警報器であって、
前記切替手段は、前記特殊器具によって、前記特殊切替スイッチに対する操作継続時間が所定時間を超える長押し操作が行われたとき、前記警報音の切り替えを行う
ことを特徴とするガス警報器。
【請求項４】
請求項３記載のガス警報器であって、
前記特殊器具によって、前記特殊切替スイッチに対する操作継続時間が所定時間以下となる短押し操作が行われたとき、当該ガス漏れ警報器の電気的点検を開始する電気点検手段を
さらに備えることを特徴とするガス警報器。
【請求項５】
請求項１〜４何れか１項記載のガス警報器であって、
前記切替手段による切り替えが行われたときに、前記音声と該音声以外の音との何れに切り替えられたかを報知する報知手段をさらに備える
ことを特徴とするガス警報器。
【発明の詳細な説明】
【０００１】
【発明の属する技術分野】
この発明は、ガス警報器に係わり、特に、検出対象ガスの濃度が一定レベルを超えたとき、その旨を伝える警報音を発生するガス警報器に関する。
【０００２】
【従来の技術】
ガス漏れ警報器や不完全燃焼警報器などのガス警報器は、雰囲気中の検出対象ガスの濃度が一定レベルを超えたとき、その旨を伝える警報音を発生して使用者に危険を知らせている。
【０００３】
ところで、ガス警報器は、法規制により一般家庭用と、飲食店の調理場などの設置環境が厳しい業務用とに分けられている。一般家庭用ガス警報器では、その警報音に音声が用いられており、例えば、「ガスが漏れていませんか」など、使用者が警報の内容を理解しやすいように配慮されている。これに対して、業務用ガス警報器では、来客に無用な誤解を与えて店の印象を悪くさせることを避けるために、ブザー音による警報が取られている。
【０００４】
上述した状況に鑑み、特許文献１には、警報音を上述した音声によるものと、音声以外のブザー音によるものとの間で切り替える切替スイッチを備え、家庭用と業務用とに互換性を持たせるガス警報器が提案されている。
【０００５】
しかしながら、上述したガス警報器において、切替スイッチをユーザが操作し易い場所に設けてしまうと、いたずらなどにより警報音が切り替えられてしまう恐れがある。たとえば、業務用に設置されたガス警報器の警報音をブザー音から音声に切り替えてしまった場合、お客さんが飲食店で食事をしているときに、調理場から「ガスが漏れていませんか」とアナウンスされ、店内が混乱してしまう。
【０００６】
そこで、このような事態を回避するために、切替スイッチをガス警報器の貼付面に設け、ガス警報器を壁や天井などに貼り付けると切替スイッチが隠れてしまうようにして、勝手に切替スイッチの操作が行われないようにすることも考えられる。しかしながら、一般に切替スイッチは、ガス警報器の電気的点検の開始を指示する操作スイッチとして兼用している場合が多い。例えば、切替スイッチとしてスライドスイッチを用いている場合、スライドスイッチを音声→ブザー音→音声と切替操作すると電気的点検を開始するようになっている。
【０００７】
このため、上述したように切替スイッチが隠れてしまうと、ガス警報器を壁や天井に設置した状態で電気的点検を行うことができず、一旦、ガス警報器を外してから切替スイッチを操作しなけらばならないという問題があった。また、警報音の設定を誤った状態で、ガス警報器を壁や天井に設置してしまうと、正しい警報音に設定し直すためには、一旦、ガス警報器を外してから切替スイッチの操作をしなければならないという問題があった。
【０００８】
【特許文献１】
特開平９−１４７２６６号公報
【特許文献２】
特開平１１−１６０６８号公報
【０００９】
【発明が解決しようとする課題】
そこで、本発明は、上記のような問題点に着目し、いたずらなどによる警報音の切り替えを防止しつつ、ガス警報器を取り付けた状態で簡単な操作で警報音の切り替えを行うことができるガス警報器を提供することを課題とする。
【００１０】
【課題を解決するための手段】
上記課題を解決するためになされた請求項１記載の発明は、検出対象ガスの濃度が一定レベルを超えたとき、その旨を伝える警報音を発生する警報音発生手段と、収容ボックス内に収容された状態で、当該収容ボックス外から、特殊器具を用いた操作が行われたことに応じてオン又はオフする特殊切替スイッチと、前記特殊切替スイッチのオン又はオフに応じて、前記警報音発生手段が発生する警報音を、音声と該音声以外の音との間で切り替える切替手段とを備えたことを特徴とするガス警報器に存する。
【００１１】
請求項１記載の発明によれば、警報発生手段が、検出対象ガスの濃度が一定レベルを超えたとき、その旨を伝える警報音を発生する。特殊切替スイッチが、収容ボックス内に収容された状態で、その収容ボックス外から、特殊器具を用いた操作が行われたことに応じてオン又はオフする。切替手段が、特殊切替スイッチのオン又はオフに応じて、警報音発生手段が発生する警報音を、音声と該音声以外の音との間で切り替える。
【００１２】
以上のような構成によれば、特殊器具による操作を行うだけで、特殊切替スイッチを簡単にオン又はオフすることができる。しかも、特殊切替スイッチは収容ボックス内部に設けられており、オン又はオフするには、特殊器具を用いる必要があるため、特殊器具を持っていない人物によって、勝手に、特殊切替スイッチがオン又はオフされることがない。
【００１３】
請求項２記載の発明は、請求項１記載のガス警報器であって、前記特殊切替スイッチは、前記収容ボックスに設けられたスイッチ用開口部に対応した位置に配されたタクトスイッチであることを特徴とするガス警報器に存する。
【００１４】
請求項２記載の発明によれば、特殊切替スイッチは、収容ボックスに設けられたスイッチ用開口部に対応した位置に配されたタクトスイッチである。従って、指の太さより小さいスイッチ用開口部を設ければ、ペン先端などの特殊器具を用いなければタクトスイッチをオン又はオフすることができない。このため、ペン先端などの特殊器具を持っていない人物によって、勝手に、特殊切替スイッチがオン又はオフされることがない。
【００１５】
請求項３記載の発明は、請求項１又は２記載のガス警報器であって、前記切替手段は、前記特殊器具によって、前記特殊切替スイッチに対する操作継続時間が所定時間を超える長押し操作が行われたとき、前記警報音の切り替えを行うことを特徴とするガス警報器に存する。
【００１６】
請求項３記載の発明によれば、特殊器具によって、特殊切替スイッチに対する操作継続時間が所定時間を超える長押し操作が行われたとき、切替手段が警報音の切り替えを行う。従って、いたずら目的で、特殊器具を使って特殊切替スイッチに対する操作が行われたとしても、長押し操作されなければ、警報音が切り替わることがなくなる。
【００１７】
請求項４記載の発明は、請求項３記載のガス警報器であって、前記特殊器具によって、前記特殊切替スイッチに対する操作継続時間が所定時間以下となる短押し操作が行われたとき、当該ガス漏れ警報器の電気的点検を開始する電気点検手段をさらに備えることを特徴とするガス警報器に存する。
【００１８】
請求項４記載の発明によれば、特殊器具によって、特殊切替スイッチに対する操作継続時間が所定時間以下となる短押し操作が行われたとき、電気点検手段がそのガス漏れ警報器の電気的点検を開始する。従って、特殊器具による短押し操作を行うだけで、簡単に電気的点検を開始することができる。しかも、いたずら目的で、特殊器具を使って特殊切替スイッチに対する操作が行われたとしても、電気的点検が行われるだけで済む。
【００１９】
請求項５記載の発明は、請求項１〜４何れか１項記載のガス警報器であって、前記切替手段による切り替えが行われたときに、前記音声と該音声以外の音との何れに切り替えられたかを報知する報知手段をさらに備えることを特徴とするガス警報器に存する。
【００２０】
請求項５記載の発明によれば、報知手段が、切替手段による切り替えが行われたときに、音声と音声以外の音との何れに切り替えられたかを報知する。従って、切替内容を容易に認識することができる。
【００２１】
【発明の実施の形態】
以下、本発明の実施の形態を図面に基づいて説明する。図１は、本発明のガス警報器の一実施の形態を示すブロック図である。図２（ａ）は、図１に示すガス警報器の正面外観図であり、図２（ｂ）は、図１に示すガス警報器の側面外観図である。図３は、図２（ｂ）に示すガス警報器のＡ−Ａ線部分断面図である。
【００２２】
図１に示すように、ガス警報器は、例えば、ＣＯやＣＯ２などの検出対象ガスの濃度に応じた濃度信号を出力するガスセンサ１１と、押圧されたとき、オンするタクトスイッチ１２と、上記ガスセンサ１１及びタクトスイッチ１２が接続されているマイクロコンピュータ（以下、μＣＯＭ）１３とを備えている。
【００２３】
μＣＯＭ１３は、予め定めたプログラムに従って各種の処理や制御などを行う中央処理ユニット（以下、ＣＰＵ）１３ａ、ＣＰＵ１３ａのためのプログラム等を格納した読み出し専用メモリであるＲＯＭ１３ｂ、各種のデータを格納すると共にＣＰＵ１３ａの処理作業に必要なエリアを有する読み出し書き込み自在のメモリであるＲＡＭ１３ｃ等を内蔵している。
【００２４】
ガス警報器は、ガス漏れが生じているとき、警報音を発生して、聴覚により危険を知らせるためのスピーカ１５と、点灯するなどして、視覚により危険を知らせるためのＬＥＤ１６とを備えている。これら、スピーカ１５及びＬＥＤ１６は、μＣＯＭ１３に接続され、μＣＯＭ１３によりその動作が制御されている。
【００２５】
また、上述したガスセンサ１１、タクトスイッチ１２及びμＣＯＭ１３は、ガス警報器の収容ボックス１４内に収容されている。一方、スピーカ１５及びＬＥＤ１６は、図２（ａ）のガス警報器の正面外観図に示すように、収容ボックス１４の表面に設けられている。
【００２６】
また、上記タクトスイッチ１２は、図３に示すように、収容ボックス１４に設けられたスイッチ用開口部１４ａに対応した位置に配されている。なお、１７は、タクトスイッチ１２が設けられている回路基板である。スイッチ用開口部１４ａの大きさは、例えば、人の指先より小さくなっている。このため、ペン先端などスイッチ用開口部１４ａより小さい特殊器具２０を用いなければ、収容ボックス１４内部にあるタクトスイッチ１２を押圧操作できないようになっている。このタクトスイッチ１２が、請求項中の特殊切替スイッチに相当する。
【００２７】
上述したスイッチ用開口部１４ａは、図２（ｂ）に示すように、ガス警報器の収容ボックス１４側面に設けられている。このような構成のガス警報器において、収容ボックス１４背面を壁や天井との貼付面にして、ガス警報器を壁や天井に設置すれば、スイッチ用開口部１４ａが隠れることがない。
【００２８】
上述した構成のガス警報器の動作について、以下説明する。ＣＰＵ１３ａは、ガス漏れを検出したときに、その旨を伝えるためのガス漏れ監視処理と、タクトスイッチ１２が操作されたときに、警報音の切り替えを行う切替処理とを並列に行う。
【００２９】
まず、ガス漏れ監視処理におけるＣＰＵ１３ａの処理手順について、図４のフローチャートを参照して以下説明する。
まず、ＣＰＵ１３ａは、ガスセンサ１１からの濃度信号に基づき、検出対象ガスの濃度が一定レベルを超えたか否かを判断する（ステップＳ１）。一定レベルを超えていれば（ステップＳ１でＹ）、ＣＰＵ１３ａは、次に警報音フラグＦがオンしているか否かを判断する（ステップＳ２）。警報音フラグＦは、オン状態で音声に設定されていることを示し、オフ状態でブザー音に設定されていることを示すフラグである。
【００３０】
警報音フラグＦがオンであれば（ステップＳ２でＹ）、ＣＰＵ１３ａは、スピーカ１５に対して音声信号を出力する（ステップＳ３）。スピーカ１５は、この音声信号の出力に応じて、「ガスが漏れていませんか」などの音声を出力し、ガス漏れの危険を音声により報知する。また、ＣＰＵ１３ａは、ＬＥＤ１６に対し点灯信号を出力する（ステップＳ４）。ＬＥＤ１６は、この点灯信号の出力に応じて、点灯し、ガス漏れの危険を視覚により報知する。
【００３１】
これに対して警報音フラグＦがオフであれば（ステップＳ２でＮ）、ＣＰＵ１３ａは、スピーカ１５に対してブザー音信号を出力した後（ステップＳ５）、ステップＳ４に進む。スピーカ１５は、このブザー音信号に応じて、「ブー」という擬音を出力し、ガス漏れの危険を音声により報知する。以上のことから明らかなように、ステップＳ３及びＳ５において、ＣＰＵ１３ａは、警報音発生手段として働いている。
【００３２】
次に、切替処理におけるＣＰＵ１３ａの処理手順について、図５のフローチャートを参照して以下説明する。
まず、ＣＰＵ１３ａは、タクトスイッチ１２がオンしているか否かを判断する（ステップＳ６）。オンしていれば（ステップＳ６でＹ）、ＣＰＵ１３ａは、ガス作業員がペン先端などの特殊器具２０を用いてタクトスイッチ１２を押圧操作していると判断して、次のステップＳ７に進む。
【００３３】
ステップＳ７において、ＣＰＵ１３ａは、タクトスイッチ１２がオフするまでの時間、つまり、タクトスイッチ１２に対する押圧操作の継続時間をカウントする。次に、ＣＰＵ１３ａは、ステップＳ７においてカウントした時間が所定時間を超えているか否かを判断する（ステップＳ８）。所定時間を超えていれば（ステップＳ８でＹ）、ＣＰＵ１３ａは、タクトスイッチ１２に対する押圧操作の継続時間が所定時間を超える長押し操作が行われたと判断して、ステップＳ９〜Ｓ１３に進み、警報音の切り替えを行う。
【００３４】
まず、ＣＰＵ１３ａは、警報音フラグＦがオンしているか否かを判断する（ステップＳ９）。このとき、警報音フラグＦがオフ状態であれば（ステップＳ９でＮ）、ＣＰＵ１３ａは、ブザー音に設定されていると判断し、ブザー音から音声に切り替えるために、警報音フラグＦをオンにする（ステップＳ１０）。さらに、ＣＰＵ１３ａは、スピーカ１５から「ピッ」という擬音又は「音声設定です」という音声を出力させて、ブザー音から音声に切り替えた旨の報知を行った後（ステップＳ１１）、ステップＳ１に戻る。
【００３５】
これに対して、警報音フラグＦがオン状態であれば（ステップＳ９でＹ）、ＣＰＵ１３ａは、音声に設定されていると判断し、音声からブザー音に切り替えるために、警報音フラグＦをオフにする（ステップＳ１２）。さらに、ＣＰＵ１３ａは、スピーカ１５から「ピッ、ピッ」という擬音又は「ブザー設定です」という音声を出力させて、音声からブザーに切り替えた旨の報知を行った後（ステップＳ１３）、ステップＳ１に戻る。以上のことから明らかなように、ＣＰＵ１３ａは、ステップＳ１０及びＳ１２において切替手段として働き、ステップＳ１１及びＳ１３において報知手段として働く。
【００３６】
一方、所定時間を超えていなければ（ステップＳ８でＮ）、ＣＰＵ１３ａは、タクトスイッチ１２に対する押圧操作の継続時間が所定時間以下の短押し操作が行われたと判断して、電気点検手段として働き、電気的点検動作を行った後（ステップＳ１４）、ステップＳ１に戻る。電気的点検動作としては、ガス漏れ時に確実に警報音が発生するかなどの点検であり、スピーカ１５に対して音声信号及びブザー音信号を出力してみる。
【００３７】
上述したガス警報器によれば、特殊器具２０による操作を行うだけで、タクトスイッチ１２を簡単にオンすることができる。しかも、タクトスイッチ１２は収容ボックス１４内部に設けられており、オンするには、特殊器具２０を用いる必要がある。このため、特殊器具２０を持っていない人物によって、勝手に、タクトスイッチ１２がオンされることがなく、いたずらなどによる警報音の切り替えを防止しつつ、ガス警報器を取り付けた状態で簡単な操作で警報音の切替を行うことができる。
【００３８】
また、上述したガス警報器によれば、特殊器具２０を用いてタクトスイッチ１２を長押し操作したときのみ警報音の切り替えが行われるようになっている。このため、いたずら目的で、特殊器具２０を使ってタクトスイッチ１２に対する操作が行われたとしても、長押し操作されなければ、警報音が切り替わることがなくなり、より一層確実に、いたずらなどによる警報音の切り替えを防止することができる。
【００３９】
また、上述したガス警報器によれば、特殊器具２０によって、タクトスイッチ１２に対する操作継続時間が所定時間以下となる短押し操作が行われたとき、ガス警報器の電気的点検動作を開始する。このため、特殊器具２０による短押し操作を行うだけで、簡単に電気的点検動作を開始することができる。しかも、いたずら目的で、特殊器具２０を使ってタクトスイッチ１２に対する操作が行われたとしても、電気的点検が行われるだけで済む。
【００４０】
さらに、上述したガス警報器によれば、警報音の切り替えが行われたとき、音声とブザー音との何れに切り替えられたかを報知している。このため、切替内容を容易に認識することができる。
【００４１】
なお、上述した実施形態によれば、警報音として、音声とブザー音とを切り替えるようにしていた。しかしながら、ブザー音に相当する音は音声以外であればよく、例えば、電子音などでも良い。
【００４２】
さらに、上述した実施形態によれば、特殊切替スイッチとして、収容ボックス１４内に収容され、かつ、スイッチ用開口部１４ａに対応した位置に配されたタクトスイッチ１２を用いていた。しかしながら、例えば、特殊切替スイッチとして、収容ボックス１４内に収容され、マグネットが近づいたときに、オン又はオフするマグネットスイッチを用いることも考えられる。
【００４３】
【発明の効果】
以上説明したように、請求項１記載の発明によれば、特殊器具による操作を行うだけで、特殊切替スイッチを簡単にオン又はオフすることができる。しかも、特殊切替スイッチは収容ボックス内部に設けられており、オン又はオフするには、特殊器具を用いる必要があるため、特殊器具を持っていない人物によって、勝手に、特殊切替スイッチがオン又はオフされることがないので、いたずらなどによる警報音の切り替えを防止しつつ、ガス警報器を取り付けた状態で簡単な操作で警報音の切替を行うことができるガス警報器を得ることができる。
【００４４】
請求項２記載の発明によれば、指の太さより小さいスイッチ用開口部を設ければ、ペン先端などの特殊器具を用いなければタクトスイッチをオン又はオフすることができない。このため、ペン先端などの特殊器具を持っていない人物によって、勝手に、特殊切替スイッチがオン又はオフされることがないので、いたずらなどによる警報音の切り替えを防止しつつ、ガス警報器を取り付けた状態で簡単な操作で警報音の切替を行うことができるガス警報器を得ることができる。
【００４５】
請求項３記載の発明によれば、いたずら目的で、特殊器具を使って特殊切替スイッチに対する操作が行われたとしても、長押し操作されなければ、警報音が切り替わることがなくなるので、より一層確実に、いたずらなどによる警報音の切り替えを防止することができるガス警報器を得ることができる。
【００４６】
請求項４記載の発明によれば、特殊器具による短押し操作を行うだけで、簡単に電気的点検を開始することができる。しかも、いたずら目的で、特殊器具を使って特殊切替スイッチに対する操作が行われたとしても、電気的点検が行われるだけで済むガス警報器を得ることができる。
【００４７】
請求項５記載の発明によれば、切替内容を容易に認識することができるので、異なる設置場所への切替が容易かつ確実なガス警報器を得ることができる。
【図面の簡単な説明】
【図１】本発明のガス警報器の一実施の形態を示すブロック図である。
【図２】図２（ａ）は、図１に示すガス警報器の正面外観図であり、図２（ｂ）は、図１に示すガス警報器の側面外観図である。
【図３】図３は、図２（ｂ）に示すガス警報器のＡ−Ａ線部分断面図である。
【図４】監視処理におけるＣＰＵ１３ａの処理手順を示すフローチャートである。
【図５】切替処理におけるＣＰＵ１３ａの処理手順を示すフローチャートである。
【符号の説明】
１４    収容ボックス
２０    特殊器具
１３ａ  ＣＰＵ（警報音発生手段、切替手段、電気点検手段、報知手段）
１４ａ  スイッチ用開口部
１２    タクトスイッチ（特殊切替スイッチ）
【図１】
2004252662.tif 000003
【図２】
2004252662.tif 000004
【図３】
2004252662.tif 000005
【図４】
2004252662.tif 000006
【図５】
2004252662.tif 000007